(57)【要約】【課題】機能検査を正確かつ効率的に実行する。【解決手段】基板１００に作動用電圧Ｖｏを供給する第１電源部１１と、基板１００に作動用電圧Ｖｏを供給している状態で基板１００から得られる電気的パラメータに基づいて基板１００についての機能検査を実行する検査部１３とを備え、プローブ２２および第１電源部１１の間と基準電位との間に接続されるコンデンサ１６と、プローブ２２および第１電源部１１の間と基準電位との間にコンデンサ１６を接続した接続状態および接続していない非接続状態を切り替える切り替え部１７と、切り替え部１７を制御する制御部２０とを備え、制御部２０は、機能検査としての静的機能検査を検査部１３が実行する際には切り替え部１７を制御してコンデンサ１６を非接続状態に維持させ、機能検査としての動的機能検査を検査部１３が実行する際には切り替え部１７を制御してコンデンサ１６を接続状態に維持させる。【選択図】図１
2014106220.tif 000002
【特許請求の範囲】
【請求項１】
検査対象に作動用電力を供給する第１電源部と、前記検査対象に前記作動用電力を供給している状態で当該検査対象から得られる電気的パラメータに基づいて当該検査対象についての機能検査を実行する検査部とを備えた検査装置であって、
前記検査対象に前記作動用電力を供給するための接続端子および前記第１電源部の間と基準電位との間に接続されるコンデンサと、前記接続端子および前記第１電源部の間と前記基準電位との間に前記コンデンサを接続した接続状態および接続していない非接続状態を切り替える切り替え部と、当該切り替え部を制御する制御部とを備え、
前記制御部は、前記機能検査としての静的機能検査を前記検査部が実行する際には前記切り替え部を制御して前記コンデンサを前記非接続状態に維持させ、前記機能検査としての動的機能検査を前記検査部が実行する際には前記切り替え部を制御して前記コンデンサを前記接続状態に維持させる検査装置。
【請求項２】
前記コンデンサに充電用電力を供給する第２電源部を備え、
前記制御部は、前記静的機能検査の実行後に前記動的機能検査が実行されるときに、前記静的機能検査の実行時に前記第２電源部を制御して前記非接続状態の前記コンデンサに前記充電用電力を供給させて当該コンデンサを充電させる請求項１記載の検査装置。
【請求項３】
前記検査部は、前記作動用電力が供給されて前記検査対象が待機状態となっているときに測定した前記電気的パラメータとしての物理量の測定値に基づく当該検査対象の良否検査を前記静的機能検査として実行する請求項１または２記載の検査装置。
【請求項４】
前記検査部は、前記作動用電力が供給されている状態において予め規定された電気的処理の実行を指示する指示信号に応じて前記検査対象が当該電気的処理を実行したときの前記電気的パラメータとしての処理結果に基づく当該検査対象の良否検査を前記動的機能検査として実行する請求項１から３のいずれかに記載の検査装置。
【請求項５】
検査対象に作動用電力を供給している状態で当該検査対象から得られる電気的パラメータに基づいて当該検査対象についての機能検査を実行する検査方法であって、
前記機能検査としての静的機能検査を実行する際には、前記検査対象に前記作動用電力を供給するための接続端子および前記作動用電力を供給する第１電源部の間と基準電位との間にコンデンサを接続していない非接続状態に維持し、前記機能検査としての動的機能検査を実行する際には、前記接続端子および前記第１電源部の間と前記基準電位との間に前記コンデンサを接続した接続状態に維持する検査方法。
【発明の詳細な説明】
【技術分野】
【０００１】
本発明は、検査対象に作動用電力を供給している状態でその検査対象についての機能検査を実行する検査装置および検査方法に関するものである。
【背景技術】
【０００２】
この種の検査装置として、特開平７−３１８６１４号公報に開示されたファンクションテスト・システムが知られている。このファンクションテスト・システムは、パソコン、システムコントロール、計測制御モジュール群、フィクスチャ、ファンクションテスタ用バス、計測バスおよび計測器を備えて、検査対象の基板（電子部品が実装されて、各種の電気的処理を実行可能な部品実装済み基板）に対する機能検査を実行可能に構成されている。この場合、この種の検査装置では、検査対象の基板に対して作動用電力（例えば、電圧）を供給して基板を作動させた状態で各種の機能検査が実行される。
【先行技術文献】
【特許文献】
【０００３】
【特許文献１】特開平７−３１８６１４号公報（第３−４頁、第１図）
【発明の概要】
【発明が解決しようとする課題】
【０００４】
ところが、上記したファンクションテスト・システムを含む機能検査を実行可能な従来の検査装置には、解決すべき以下の課題ある。すなわち、従来のこの種の検査装置では、検査対象の基板に作動用電力としての電圧を供給して基板を作動させて各種の機能検査が実行される。この場合、基板が電気的処理（例えば、演算処理）を開始したときには、急激な電圧降下が発生することがある。このようなときには、基板に備えられているリセット機能によって電気的処理が中断されて再び電気的処理が開始され、この電気的処理の開始によって再び電気的処理が中断される。このように、急激な電圧降下が発生することに起因して、電気的処理の開始と中断が繰り返されるという不都合が生じることがある。このような不都合を回避するため、この種の検査装置を用いて機能検査を実行する際には、作動用電力の出力部と信号供給用の端子との間にコンデンサを接続して急激な電圧降下を緩和することが考えられる。しかしながら、コンデンサを接続した状態で、待機状態（スタンバイ状態）における消費電流が規定値通りであるか否かの検査（静的機能検査）を実行する際には、コンデンサが充電されるまで作動用電力がコンデンサに供給されて、その間は電流値が変動することとなる。このため、変動が少なくなるまで測定を開始することができず、これに起因して検査効率が低下するという課題が存在する。また、コンデンサを接続した状態で、消費電流を測定したときには、コンデンサが充電された後においてもコンデンサの漏れ電流が加算されて測定されるため、基板の消費電流を正確に測定することが困難となり機能検査が不正確となるおそれもある。
【０００５】
本発明は、かかる課題に鑑みてなされたものであり、検査対象に対する機能検査を正確かつ効率的に実行し得る検査装置および検査方法を提供することを主目的とする。
【課題を解決するための手段】
【０００６】
上記目的を達成すべく請求項１記載の検査装置は、検査対象に作動用電力を供給する第１電源部と、前記検査対象に前記作動用電力を供給している状態で当該検査対象から得られる電気的パラメータに基づいて当該検査対象についての機能検査を実行する検査部とを備えた検査装置であって、前記検査対象に前記作動用電力を供給するための接続端子および前記第１電源部の間と基準電位との間に接続されるコンデンサと、前記接続端子および前記第１電源部の間と前記基準電位との間に前記コンデンサを接続した接続状態および接続していない非接続状態を切り替える切り替え部と、当該切り替え部を制御する制御部とを備え、前記制御部は、前記機能検査としての静的機能検査を前記検査部が実行する際には前記切り替え部を制御して前記コンデンサを前記非接続状態に維持させ、前記機能検査としての動的機能検査を前記検査部が実行する際には前記切り替え部を制御して前記コンデンサを前記接続状態に維持させる。なお、電気的パラメータには、電流値、電圧値、抵抗値、電力値、電位および位相などの電気的な物理量が含まれると共に、電気回路や接続ケーブルなど介して伝送されるデータが含まれるものとする。
【０００７】
また、請求項２記載の検査装置は、請求項１記載の検査装置において、前記コンデンサに充電用電力を供給する第２電源部を備え、前記制御部は、前記静的機能検査の実行後に前記動的機能検査が実行されるときに、前記静的機能検査の実行時に前記第２電源部を制御して前記非接続状態の前記コンデンサに前記充電用電力を供給させて当該コンデンサを充電させる。
【０００８】
また、請求項３記載の検査装置は、請求項１または２記載の検査装置において、前記検査部は、前記作動用電力が供給されて前記検査対象が待機状態となっているときに測定した前記電気的パラメータとしての物理量の測定値に基づく当該検査対象の良否検査を前記静的機能検査として実行する。
【０００９】
また、請求項４記載の検査装置は、請求項１から３のいずれかに記載の検査装置において、前記検査部は、前記作動用電力が供給されている状態において予め規定された電気的処理の実行を指示する指示信号に応じて前記検査対象が当該電気的処理を実行したときの前記電気的パラメータとしての処理結果に基づく当該検査対象の良否検査を前記動的機能検査として実行する。
【００１０】
また、請求項５記載の検査方法は、検査対象に作動用電力を供給している状態で当該検査対象から得られる電気的パラメータに基づいて当該検査対象についての機能検査を実行する検査方法であって、前記機能検査としての静的機能検査を実行する際には、前記検査対象に前記作動用電力を供給するための接続端子および前記作動用電力を供給する第１電源部の間と基準電位との間にコンデンサを接続していない非接続状態に維持し、前記機能検査としての動的機能検査を実行する際には、前記接続端子および前記第１電源部の間と前記基準電位との間に前記コンデンサを接続した接続状態に維持する。
【発明の効果】
【００１１】
請求項１記載の検査装置、および請求項５記載の検査方法では、静的機能検査を実行する際には接続端子および第１電源部の間と基準電位との間にコンデンサを接続していない非接続状態に維持し、動的機能検査を実行する際には接続端子および第１電源部の間と基準電位との間にコンデンサを接続した接続状態に維持する。このため、静的機能検査を実行する際には、作動用電力がコンデンサに供給されない結果、静的機能検査に用いる電気的パラメータがコンデンサの充電に伴って変動する事態を回避することができる。したがって、この検査装置および検査方法によれば、作動用電力の供給の開始後直ちに静的機能検査を実行することができる結果、コンデンサが常に接続状態に維持されてコンデンサの充電に伴う電気的パラメータの変動が小さくなるまで静的機能検査を実行することができない構成および方法と比較して、検査効率を十分に向上させることができる。また、この検査装置および検査方法によれば、コンデンサを非接続状態とした後に静的機能検査を実行するため、コンデンサを接続した状態で静的機能検査を実行する構成および方法とは異なり、コンデンサの漏れ電流が加算された電流が静的機能検査に用いる電気的パラメータとして測定される事態を回避することができる。このため、この検査装置および検査方法によれば、静的機能検査に用いる電気的パラメータを正確に測定することができる結果、検査対象に対する機能検査を正確に実行することができる。さらに、この検査装置および検査方法によれば、動的機能検査を実行する際にはコンデンサを接続状態に維持することにより、動的機能検査において検査対象が電気的処理を開始したときの作動用電力の電圧降下をコンデンサの電力供給機能によって補うことができる。このため、この検査装置および検査方法によれば作動用電力の電圧降下によって検査対象による電気的処理が困難となって動的機能検査の実行が困難となる事態を確実に防止することができる。
【００１２】
また、請求項２記載の検査装置では、静的機能検査の実行後に動的機能検査が実行されるときに、静的機能検査の実行時に非接続状態のコンデンサに充電用電力を供給させてコンデンサを充電させる。この場合、静的機能検査の実行中にコンデンサに対する充電を行わない構成および方法では、静的機能検査の終了時点では、コンデンサが充電されておらず、その状態で直ちに動的機能検査を開始した（検査対象に電気的処理を開始させた）ときには、検査対象の処理開始に伴う電圧降下を補って電圧を平準化させることができないため、コンデンサを接続状態としてからコンデンサの充電が完了するまでの間は、動的機能検査を開始することができない結果、検査効率のさらなる向上が困難となる。これに対して、この検査装置によれば、静的機能検査の実行中にコンデンサを充電させることで、検査対象による電気的処理の開始時点でコンデンサの充電を完了させることができる結果、静的機能検査の終了後検査対象に対して電気的処理を直ちに実行させることができる。このため、この検査装置によれば、静的機能検査の実行中にコンデンサの充電を行わない構成および方法と比較して、検査効率をさらに向上させることができる。
【００１３】
また、請求項３記載の検査装置によれば、作動用電力が供給されて検査対象が待機状態となっているときに測定した物理量の測定値に基づく検査対象の良否検査を静的機能検査として実行することにより、機能検査の一環として一般的に行われる、この種の静的機能検査を正確かつ効率的に実行することができる。
【００１４】
また、請求項４記載の検査装置によれば、作動用電力が供給されている状態において指示信号に応じて検査対象が電気的処理を実行したときの処理結果に基づく検査対象の良否検査を前記動的機能検査として実行することにより、機能検査の一環として一般的に行われる、この種の動的機能検査を正確かつ効率的に実行することができる。
【図面の簡単な説明】
【００１５】
【図１】検査装置１の構成を示す構成図である。
【図２】基板１００に供給された作動用電圧Ｖｏの電圧値の変化を説明する説明図である。
【発明を実施するための形態】
【００１６】
以下、検査装置および検査方法の実施の形態について、添付図面を参照して説明する。
【００１７】
最初に、図１に示す検査装置１の構成について説明する。図１に示す検査装置１は、検査装置の一例であって、第１電源部１１、第２電源部１２、検査部１３、移動機構１４、スキャナ１５、コンデンサ１６、切り替え部１７、記憶部１８、操作部１９および制御部２０を備えて、同図に示す部品実装済みの基板１００（検査対象の一例）に対する機能検査（ファンクションテスト：検査対象を作動させて行う検査）を後述する検査方法に従って実行可能に構成されている。
【００１８】
第１電源部１１は、制御部２０の制御に従って基板１００に供給する作動用電圧Ｖｏを出力する。この場合、作動用電圧Ｖｏは、機能検査の実行時に基板１００に供給して基板１００を作動させるための作動用電力に相当する。また、第１電源部１１は、図外のスイッチを備えて構成され、制御部２０の制御に従ってこのスイッチを作動させることにより、基板１００に対する作動用電圧Ｖｏの供給および供給停止を行う。
【００１９】
第２電源部１２は、コンデンサ１６に対して充電用電力の一例としての充電用電圧Ｖｃを供給する。また、第２電源部１２は、図外のスイッチを備えて構成され、制御部２０の制御に従ってこのスイッチを作動させることにより、コンデンサ１６に対する充電用電圧Ｖｃの供給および供給停止を行う。この場合、この検査装置１では、第１電源部１１が出力する作動用電圧Ｖｏと同じ電圧値の充電用電圧Ｖｃを第２電源部１２が供給する。
【００２０】
検査部１３は、各種の機能検査を実行する。この場合検査部１３は、後述する待機状態における消費電流を測定してその測定値に基づく静的機能検査を実行する電流検査ユニットや、後述する基板１００による演算処理の処理結果に基づく動的機能検査を実行する演算結果判定ユニットなどの各種の検査ユニットを備えて構成されて、静的機能検査および動的機能検査を機能検査として実行する。この場合、静的機能は、基板１００が電気的処理を実行することなく、作動用電圧Ｖｏの供給に伴って行う機能であって、具体的には、作動用電圧Ｖｏを供給して基板１００が待機状態（スタンバイ状態）となっているときに消費電流（電気的パラメータ）を消費して待機状態を維持する機能がこの静的機能に相当する。また、このような静的機能を検査する機能検査が静的機能検査に相当する。一方、動的機能は、基板１００が電気的処理を実行する機能であって、具体的には、作動用電圧Ｖｏが供給されている状態において基板１００に対して予め規定した電気的処理（例えば、演算処理、通信処理、および表示器に対する表示処理等）の実行を指示する指示信号Ｓｃを出力し、その指示信号Ｓｃ応じて基板１００がその電気的処理を実行して処理結果（電気的パラメータ）を出力する機能がこの動的機能に相当する。また、このような動的機能を検査する機能検査が動的機能検査に相当する。
【００２１】
移動機構１４は、制御部２０の制御に従い、基板１００に対してプローブユニット２１をプロービングさせる。この場合、プローブユニット２１は、例えば、図１に示すように、複数のプローブ２２（接続端子に相当する）を備えて治具型に構成されている。
【００２２】
スキャナ１５は、複数のスイッチ（図示せず）を備えて構成され、制御部２０の制御に従って各スイッチを切り替えることにより、プローブユニット２１の各プローブ２２と第１電源部１１との接断（接続および切断）、および各プローブ２２と検査部１３との接断を行う。
【００２３】
コンデンサ１６は、電圧供給用およびバイパス用として機能するコンデンサであって、基板１００に対して動的機能検査を実行する際に、基板１００が電気的処理を開始したときの基板１００に供給されている作動用電圧Ｖｏの電圧降下を補って、電圧を平準化させる機能を有している。この場合、コンデンサ１６は、切り替え部１７の動作によって、プローブ２２および第１電源部１１の間（プローブ２２および第１電源部１１の接続点）と基準電位（グランド電位）との間（この例では、第１電源部１１とプローブ２２との間にスキャナ１５が存在しているため、スキャナ１５および第１電源部１１の間（接続点）と基準電位との間）に接続された状態（以下「接続状態」ともいう）と接続されていない状態（以下「非接続状態」ともいう）とが切り替えられる。
【００２４】
切り替え部１７は、制御部２０の制御に従って作動して、コンデンサ１６の接続状態と非接続状態とを切り替える。記憶部１８は、検査装置１の動作プログラムや機能検査の手順が記述されたシーケンスデータなどを記憶する。また、記憶部１８は、制御部２０の制御に従い、検査部１３によって実行される機能検査の結果を記憶する。操作部１９は、検査の開始を指示する指示操作や各種の設定操作を行うための操作キーを備えて構成され、これらが操作されたときに操作信号を出力する。
【００２５】
制御部２０は、操作部１９から出力される操作信号、および記憶部１８に記憶されている動作プログラムに従って検査装置１を構成する各構成要素を制御する。具体的には、制御部２０は、移動機構１４を制御してプロービングを実行させる。また、制御部２０は、第１電源部１１による作動用電圧Ｖｏの出力を制御する。また、制御部２０は、記憶部１８に記憶されているシーケンスデータに記述されている手順に従い、検査部１３に対して機能検査（静的機能検査および動的機能検査）を実行させると共に、切り替え部１７を制御してプローブ２２および第１電源部１１の間と基準電位との間にコンデンサ１６を接続している接続状態と接続していない非接続状態とを切り替える処理（以下「切り替え処理」ともいう）を実行する。この場合、制御部２０は、検査部１３に対して静的機能検査を実行させているときには、コンデンサ１６を非接続状態とさせ、検査部１３に対して動的機能検査を実行させているときには、コンデンサ１６を接続状態とさせる。
【００２６】
また、制御部２０は、検査部１３に対して動的機能検査を実行させる際に、基板１００に対して電気的処理を指示する指示信号Ｓｃを出力する。また、制御部２０は、検査部１３に対して静的機能検査および動的機能検査をこの順番で連続的に実行させるときには、第２電源部１２を制御して、静的機能検査の実行時にコンデンサ１６に充電用電圧Ｖｃを供給させ、動的機能検査の実行時にはコンデンサ１６に対する充電用電圧Ｖｃの供給を停止させる。なお、この検査装置１では、上記したように、第１電源部１１が出力する作動用電圧Ｖｏと同じ電圧値の充電用電圧Ｖｃを第２電源部１２が供給するため、第２電源部１２からコンデンサ１６に対して充電用電圧Ｖｃを常時供給する（第２電源部１２とコンデンサ１６とを常時接続する）構成および方法を採用することもできる。また、作動用電圧Ｖｏと充電用電圧Ｖｃの電圧値が異なる場合においても、逆流防止回路（例えば、ダイオード）を設けることで、第２電源部１２からコンデンサ１６に対して充電用電圧Ｖｃを常時供給することができる。
【００２７】
次に、検査装置１の動作および検査装置１を用いた検査方法について、図面を参照して説明する。なお、基板１００に対して静的機能検査を実行した後に動的機能検査を実行する旨の手順を含んだシーケンスデータが記憶部１８に記憶されているものとする。
【００２８】
この検査装置１では、電源が投入されたときに、制御部２０が記憶部１８から動作プログラムを読み出して、各構成要素に対する制御を開始する。次いで、操作部１９に対して検査の開始を指示する指示操作がされたときには、操作部１９がその旨を示す操作信号を出力する。
【００２９】
続いて、制御部２０は、操作部１９から出力された操作信号に従い、移動機構１４を制御してプロービングを実行させる。これにより、プローブユニット２１の各プローブ２２が基板１００に設けられている各ポイントに接触させられる。次いで、制御部２０は、第１電源部１１を制御して、作動用電圧Ｖｏの出力を開始させる。
【００３０】
続いて、制御部２０は、記憶部１８からシーケンスデータを読み出す。次いで、制御部２０は、シーケンスデータに記述されている手順に従い、検査部１３に対して機能検査を実行させると共に、切り替え部１７を制御する切り替え処理を実行し、機能検査の内容に応じて、コンデンサ１６を接続状態および非接続状態のいずれかに切り替える。
【００３１】
具体的には、制御部２０は、まず、切り替え部１７を制御してコンデンサ１６を非接続状態（プローブ２２および第１電源部１１の間と基準電位との間にコンデンサ１６を接続させない状態）とさせる。続いて、制御部２０は、第１電源部１１のスイッチ（図示せず）を作動させて、プローブ２２を介して作動用電圧Ｖｏを供給させる。これにより、基板１００に対する作動用電圧Ｖｏの供給が開始される。この場合、この時点では、電気的処理（基板１００が実行する電気的処理）の開始を指示する指示信号Ｓｃが出力されていないため、基板１００は、待機状態（指示信号Ｓｃ待ちの状態）を維持する。
【００３２】
次いで、制御部２０は、検査部１３を制御して、待機状態において作動用電圧Ｖｏの供給に伴って基板１００に流れる電流（待機状態における消費電流）を測定してその測定値（電流値）と予め規定された基準値とを比較して基板１００の良否（静的機能の良否）を判定する検査（静的機能検査の一例）を実行させる。
【００３３】
この場合、この時点では、コンデンサ１６が非接続状態となっているため、作動用電圧Ｖｏがコンデンサ１６に供給されない結果、図２に示すように、コンデンサ１６の充電に伴う電圧および消費電流の変動が回避される。したがって、この検査装置１および検査方法では、作動用電圧Ｖｏの供給の開始後直ちに（短時間のうちに）消費電流の測定を開始することができる結果、コンデンサ１６が常に接続状態に維持されて、コンデンサ１６の充電に伴う消費電流の変動が小さくなるまで（同図に破線で示すように、作動用電圧Ｖｏが定常状態となるまで）消費電流の測定を開始することができない構成および方法と比較して、検査効率を十分に向上させることが可能となっている。
【００３４】
また、この検査装置１および検査方法では、コンデンサ１６を非接続状態とした上で静的機能検査を実行する（消費電流を測定する）ため、コンデンサ１６を接続した状態で静的機能検査を実行する構成および方法とは異なり、コンデンサ１６の漏れ電流が加算された電流が消費電流として測定される事態を回避することができる。このため、この検査装置１および検査方法では、待機状態における基板１００の消費電流を正確に測定することが可能となり、正確に測定した消費電流に基づいて基板１００の良否を判定するため、検査精度を十分に向上させることが可能となっている。
【００３５】
一方、制御部２０は、第２電源部１２を制御して、検査部１３によって静的機能検査が実行されている間にコンデンサ１６に充電用電圧Ｖｃを供給させる。このため、この検査装置１および検査方法では、静的機能検査の実行中（静的機能検査が終了するまでの間）にコンデンサ１６を充電させることが可能となっている。
【００３６】
続いて、制御部２０は、検査部１３による上記の静的機能検査が終了したときには、検査結果を記憶部１８に記憶させる。また、制御部２０は、第２電源部１２を制御して、コンデンサ１６に対する充電用電圧Ｖｃの供給を停止させる。
【００３７】
次いで、制御部２０は、切り替え部１７を制御してコンデンサ１６を接続状態（プローブ２２および第１電源部１１の間と基準電位との間にコンデンサ１６を接続させた状態）とさせる。続いて、制御部２０は、基板１００に対して電気的処理（例えば、演算処理）の実行を指示する指示信号Ｓｃを出力する。この際に、基板１００に搭載されている演算素子が指示信号Ｓｃに従って電気的処理を開始して、処理結果を出力する。
【００３８】
ここで、コンデンサ１６が非接続状態のときには、図２に破線で示すように、基板１００の演算素子による電気的処理の開始に伴って瞬間的な電圧降下が発生する。この場合、この種の基板１００の多くは、急激な電圧降下が発生したときに基板１００に備えられているリセット機能によって電気的処理を中断して再び電気的処理を開始し、この電気的処理の開始によって再び電気的処理を中断するというように、電気的処理の開始と中断が繰り返されて、電気的処理が実行されない（完了しない）という不都合が生じるおそれがある。これに対して、この検査装置１および検査方法では、この時点（基板１００による電気的処理の開始時点）でコンデンサ１６が接続状態となっているため、同図に実線で示すように、コンデンサ１６の電力供給機能によって急激な電圧降下が補われて電圧が平準化される。このため、急激な電圧降下に起因する不都合の発生を防止することが可能となっている。
【００３９】
また、この検査装置１および検査方法では、静的機能検査の実行中にコンデンサ１６に対して充電用電圧Ｖｃを供給してコンデンサ１６の充電を行うため、基板１００による電気的処理の開始時点でコンデンサ１６の充電を完了させることができる結果、静的機能検査の終了後直ちに基板１００に対して電気的処理を実行させることが可能となっている。このため、この検査装置１および検査方法では、静的機能検査の実行中にコンデンサ１６の充電を行わない従来の構成および方法と比較して、検査効率を向上させることが可能となっている。
【００４０】
次いで、制御部２０は、検査部１３を制御して、基板１００から出力された処理結果が予め規定された値に合致しているか否かを判定して、その判定結果に基づいて基板１００の良否を判定する検査（動的機能検査の一例）を実行させる。
【００４１】
この場合、上記したように、基板１００による電気的処理の開始時点でコンデンサ１６が接続状態となっているため、電圧が平準化され、これによって基板１００による電気的処理が確実に実行される結果、動的機能検査を確実に実行することが可能となっている。
【００４２】
このように、この検査装置１および検査方法では、静的機能検査を実行する際にはプローブ２２および第１電源部１１の間と基準電位との間にコンデンサ１６を接続していない非接続状態に維持し、動的機能検査を実行する際にはプローブ２２および第１電源部１１の間と基準電位との間にコンデンサ１６を接続した接続状態に維持する。このため、静的機能検査を実行する際には、作動用電圧Ｖｏがコンデンサ１６に供給されない結果、静的機能検査において測定する物理量（静的機能検査に用いる電気的パラメータ）がコンデンサ１６の充電に伴って変動する事態を回避することができる。したがって、この検査装置１および検査方法によれば、作動用電圧Ｖｏの供給の開始後直ちに静的機能検査を実行することができる結果、コンデンサ１６が常に接続状態に維持されてコンデンサ１６の充電に伴う物理量の変動が小さくなるまで静的機能検査を実行することができない構成および方法と比較して、検査効率を十分に向上させることができる。また、この検査装置１および検査方法によれば、コンデンサ１６を非接続状態とした後に静的機能検査を実行するため、コンデンサ１６を接続した状態で静的機能検査を実行する構成および方法とは異なり、コンデンサ１６の漏れ電流が加算された電流が静的機能検査に用いる物理量として測定される事態を回避することができる。このため、この検査装置１および検査方法によれば、静的機能検査に用いる物理量を正確に測定することができる結果、基板１００に対する機能検査を正確に実行することができる。さらに、この検査装置１および検査方法によれば、動的機能検査を実行する際にはコンデンサ１６を接続状態に維持することにより、動的機能検査において基板１００が電気的処理を開始したときの作動用電圧Ｖｏの電圧降下をコンデンサ１６の電力供給機能によって補うことができる。このため、この検査装置１および検査方法によれば作動用電圧Ｖｏの電圧降下によって基板１００による電気的処理が困難となって動的機能検査の実行が困難となる事態を確実に防止することができる。
【００４３】
また、この検査装置１および検査方法では、静的機能検査の実行後に動的機能検査が実行されるときに、静的機能検査の実行時にコンデンサ１６に充電用電圧Ｖｃを供給させてコンデンサ１６を充電させる。この場合、静的機能検査の実行中にコンデンサ１６に対する充電を行わない構成および方法では、静的機能検査の終了時点では、コンデンサ１６が充電されておらず、その状態で直ちに動的機能検査を開始した（基板１００に電気的処理を開始させた）ときには、基板１００の処理開始に伴う電圧降下を補って電圧を平準化させることができないため、コンデンサ１６を接続状態としてからコンデンサ１６の充電が完了するまでの間は、動的機能検査を開始することができない結果、検査効率のさらなる向上が困難となる。これに対して、この検査装置１および検査方法によれば、静的機能検査の実行中にコンデンサ１６を充電させることで、基板１００による電気的処理の開始時点でコンデンサ１６の充電を完了させることができる結果、静的機能検査の終了後基板１００に対して電気的処理を直ちに実行させることができる。このため、この検査装置１および検査方法によれば、静的機能検査の実行中にコンデンサ１６の充電を行わない構成および方法と比較して、検査効率をさらに向上させることができる。
【００４４】
また、この検査装置１および検査方法によれば、作動用電圧Ｖｏが供給されて基板１００が待機状態となっているときに測定した物理量の測定値に基づく基板１００の良否検査を静的機能検査として実行することにより、機能検査の一環として一般的に行われる、この種の静的機能検査を正確かつ効率的に実行することができる。
【００４５】
また、この検査装置１および検査方法によれば、作動用電圧Ｖｏが供給されている状態において指示信号Ｓｃに応じて基板１００が電気的処理を実行したときの処理結果に基づく基板１００の良否検査を動的機能検査として実行することにより、機能検査の一環として一般的に行われる、この種の動的機能検査を正確かつ効率的に実行することができる。
【００４６】
なお、検査装置および検査方法の構成は、上記の構成および方法に限定されない。例えば、静的機能検査を実行した後に動的機能検査を実行する構成および方法について上記したが、これとは逆に、動的機能検査を実行した後に静的機能検査を実行する構成および方法を採用することもできる。
【００４７】
また、静的機能検査を実行している間に、第２電源部１２からの充電用電圧Ｖｃの供給によってコンデンサ１６を充電する構成および方法について上記したが、第２電源部１２を設けない（つまり、充電用電圧Ｖｃを供給しない）構成および方法を採用することもできる。
【００４８】
また、上記した静的機能検査は一例であって、他の各種の静的機能検査を実行することができる。例えば、作動用電力を供給している状態において基板１００上の各ポイントにおける電位（物理量）を測定して、その測定値に基づく基板１００の良否検査を静的機能検査として実行する構成および方法を採用することもできる。
【００４９】
また、上記した動的機能検査も一例であって、他の各種の動的機能検査を実行することができる。例えば、基板１００によって実行される電気的処理の途中で基板１００内のメモリにデータを一時的に記憶させ、そのデータを用いて別の電気的処理を実行して出力された出力信号に基づく基板１００の良否検査を動的機能検査として実行する構成および方法を採用することもできる。
【符号の説明】
【００５０】
１  検査装置
１１  第１電源部
１２  第２電源部
１３  検査部
１６  コンデンサ
１７  切り替え部
２０  制御部
２１  プローブユニット
２２  プローブ
１００  基板
Ｓｃ  指示信号
Ｖｃ  充電用電圧
Ｖｏ  作動用電圧
【図１】
2014106220.tif 000003
【図２】
2014106220.tif 000004